【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
内部に紙幣または硬貨の少なくとも一方の金銭を保有する釣銭機を備えて商品の取引の決済処理を顧客自らの操作で実行する会計装置と、商品データを登録して前記会計装置に送信する商品データ登録装置と、がネットワーク接続されたチェックアウトシステムにおいて、
前記会計装置は、
前記釣銭機が保有する金銭の在高情報を収集する在高収集手段と、
前記在高収集手段が収集した前記在高情報を所定の記憶部に記憶させる在高記憶手段と、
前記在高記憶手段が前記記憶部に前記在高情報を記憶させると、当該在高情報が適正であるか分析し、当該分析結果を前記記憶部に記憶させる在高分析手段と、
前記在高分析手段が前記記憶部に記憶させた前記分析結果が、前記釣銭機に収納されているいずれかの金銭の量が前記収納可能量に対して満杯よりも所定枚数少ないまたは空よりも所定枚数多い状態であることを示す場合、前記在高情報に関する情報として、前記在高情報が適正でないことを示す危険度を、前記商品データ登録装置に送信するインジケータ情報出力手段と、
を備え、
前記商品データ登録装置は、
前記会計装置から前記危険度の送信を受けた場合に当該危険度を表示器に表示させる危険度表示手段
を備えるチェックアウトシステム。
【請求項２】
前記インジケータ情報出力手段は、前記在高分析手段が前記記憶部に記憶させた前記分析結果が、前記釣銭機に収納されているいずれかの金銭の量が前記収納可能量に対して満杯状態または空状態であることを示す場合、満杯状態または空状態を示す第２の危険度を、前記在高情報に関する情報として前記商品データ登録装置に送信する
請求項１に記載のチェックアウトシステム。
【請求項３】
前記危険度表示手段は、前記危険度に応じて異なる色で当該危険度の表示を行う
請求項１または２に記載のチェックアウトシステム。
【請求項４】
内部に紙幣または硬貨の少なくとも一方の金銭を保有する釣銭機を備え、ネットワーク接続された商品データ登録装置から受信した商品データに基づいて商品の取引の決済処理を顧客自らの操作で実行する会計装置であって、
前記釣銭機が保有する金銭の在高情報を収集する在高収集手段と、
前記在高収集手段が収集した前記在高情報を所定の記憶部に記憶させる在高記憶手段と、
前記在高記憶手段が前記記憶部に前記在高情報を記憶させると、当該在高情報が適正であるか分析し、当該分析結果を前記記憶部に記憶させる在高分析手段と、
前記在高分析手段が前記記憶部に記憶させた前記分析結果が、前記釣銭機に収納されているいずれかの金銭の量が前記収納可能量に対して満杯よりも所定枚数少ないまたは空よりも所定枚数多い状態であることを示す場合、前記在高情報に関する情報として、前記在高情報が適正でないことを示す危険度を、前記商品データ登録装置に送信するインジケータ情報出力手段と、
を備える会計装置。
【請求項５】
内部に紙幣または硬貨の少なくとも一方の金銭を保有する釣銭機を備えて商品の取引の決済処理を顧客自らの操作で実行する会計装置と、商品データを登録して前記会計装置に送信する商品データ登録装置と、がネットワーク接続されたチェックアウトシステムが備える前記会計装置のコンピュータを、
前記釣銭機が保有する金銭の在高情報を収集する在高収集手段と、
前記在高収集手段が収集した前記在高情報を所定の記憶部に記憶させる在高記憶手段と、
前記在高記憶手段が前記記憶部に前記在高情報を記憶させると、当該在高情報が適正であるか分析し、当該分析結果を前記記憶部に記憶させる在高分析手段と、
前記在高分析手段が前記記憶部に記憶させた前記分析結果が、前記釣銭機に収納されているいずれかの金銭の量が前記収納可能量に対して満杯よりも所定枚数少ないまたは空よりも所定枚数多い状態であることを示す場合、前記在高情報に関する情報として、前記在高情報が適正でないことを示す危険度を、前記商品データ登録装置に送信するインジケータ情報出力手段と、
として機能させ、
前記商品データ登録装置のコンピュータを、
前記会計装置から前記危険度の送信を受けた場合に当該危険度を表示器に表示させる危険度表示手段
として機能させるプログラム。
【手続補正２】
【補正対象書類名】明細書
【補正対象項目名】発明の名称
【補正方法】変更
【補正の内容】
【発明の名称】チェックアウトシステム、会計装置およびプログラム
【手続補正３】
【補正対象書類名】明細書
【補正対象項目名】０００１
【補正方法】変更
【補正の内容】
【０００１】
本発明の実施形態は、チェックアウトシステム、会計装置およびプログラムに関する。
【手続補正４】
【補正対象書類名】明細書
【補正対象項目名】０００７
【補正方法】変更
【補正の内容】
【０００７】
実施形態のチェックアウトシステムは、内部に紙幣または硬貨の少なくとも一方の金銭を保有する釣銭機を備えて商品の取引の決済処理を顧客自らの操作で実行する会計装置と、商品データを登録して前記会計装置に送信する商品データ登録装置と、がネットワーク接続されたチェックアウトシステムにおいて、前記会計装置は、前記釣銭機が保有する金銭の在高情報を収集する在高収集手段と、前記在高収集手段が収集した前記在高情報を所定の記憶部に記憶させる在高記憶手段と、前記在高記憶手段が前記記憶部に前記在高情報を記憶させると、当該在高情報が適正であるか分析し、当該分析結果を前記記憶部に記憶させる在高分析手段と、前記在高分析手段が前記記憶部に記憶させた前記分析結果が、前記釣銭機に収納されているいずれかの金銭の量が前記収納可能量に対して満杯よりも所定枚数少ないまたは空よりも所定枚数多い状態であることを示す場合、前記在高情報に関する情報として、前記在高情報が適正でないことを示す危険度を、前記商品データ登録装置に送信するインジケータ情報出力手段と、を備え、前記商品データ登録装置は、前記会計装置から前記危険度の送信を受けた場合に当該危険度を表示器に表示させる危険度表示手段を備える。
【手続補正５】
【補正対象書類名】明細書
【補正対象項目名】０００８
【補正方法】変更
【補正の内容】
【０００８】
実施形態のプログラムは、内部に紙幣または硬貨の少なくとも一方の金銭を保有する釣銭機を備えて商品の取引の決済処理を顧客自らの操作で実行する会計装置と、商品データを登録して前記会計装置に送信する商品データ登録装置と、がネットワーク接続されたチェックアウトシステムが備える前記会計装置のコンピュータを、前記釣銭機が保有する金銭の在高情報を収集する在高収集手段と、前記在高収集手段が収集した前記在高情報を所定の記憶部に記憶させる在高記憶手段と、前記在高記憶手段が前記記憶部に前記在高情報を記憶させると、当該在高情報が適正であるか分析し、当該分析結果を前記記憶部に記憶させる在高分析手段と、前記在高分析手段が前記記憶部に記憶させた前記分析結果が、前記釣銭機に収納されているいずれかの金銭の量が前記収納可能量に対して満杯よりも所定枚数少ないまたは空よりも所定枚数多い状態であることを示す場合、前記在高情報に関する情報として、前記在高情報が適正でないことを示す危険度を、前記商品データ登録装置に送信するインジケータ情報出力手段と、として機能させ、前記商品データ登録装置のコンピュータを、前記会計装置から前記危険度の送信を受けた場合に当該危険度を表示器に表示させる危険度表示手段として機能させる。